【手続補正書】
【提出日】平成19年1月10日(2007.1.10)
【手続補正１】
【補正対象書類名】特許請求の範囲
【補正対象項目名】全文
【補正方法】変更
【補正の内容】
【特許請求の範囲】
【請求項１】
ネットワークにおける通信方法において、
呼者から呼者証明書に関連するデジタル音声呼設定リクエストを受信し、
前記デジタル音声呼設定リクエスト中で識別される呼出されるパーティの位置を、
呼出されるパーティの識別子と呼者の署名とを含む前記位置に対するリクエストを位置サーバへ送信し、
前記位置サーバから前記呼出されるパーティに対する前記位置と呼出されるパーティの証明書と、前記呼者証明書とを含む位置応答を受信することによって決定し、
前記呼者証明書と共に前記デジタル音声呼設定リクエストを前記呼出されるパーティへ送信し、
呼出されたパーティの受取りメッセージを受信し、
前記呼出されたパーティの受取りメッセージを確認し、
前記呼出されたパーティの受取りメッセージと前記呼出されたパーティの証明書を前記呼者へ送信するステップを含んでいる方法。
【請求項２】
前記デジタル音声呼設定リクエストの受信は、
前記呼者証明書に関連するインターネットプロトコル（ＶＯＩＰ）呼設定リクエストで前記呼者から音声を受信するステップを含んでいる請求項１記載の方法。
【請求項３】
前記デジタル音声呼設定リクエストは、
呼者インターネットプロトコル（ＩＰ）アドレスと、
前記呼出されるパーティのＩＰアドレスとを含んでいる請求項１記載の方法。
【請求項４】
前記デジタル音声呼設定は呼者の署名に関連している請求項１記載の方法。
【請求項５】
前記位置応答は前記位置サーバの署名を含んでいる請求項５記載の方法。
【請求項６】
前記デジタル音声呼設定リクエストはさらに前記呼者の署名を含んでいる請求項１記載の方法。
【請求項７】
前記呼出されるパーティの受取りメッセージは呼出されるパーティの署名を含んでいる請求項１記載の方法。
【請求項８】
前記呼出されるパーティの受取りメッセージの前記確認は、
前記受取りメッセージに付けられた前記呼出されるパーティの証明書を確認するステップと、
先に受信された呼出されるパーティの証明書を確認するステップとの少なくとも一方を含んでいる請求項１記載の方法。
【請求項９】
先に受信された呼出されるパーティの証明書は前記呼出されるパーティの前記位置と共に受信された請求項８記載の方法。
【請求項１０】
さらに、呼出されるパーティの署名を前記呼者へ送信するステップを含んでいる請求項１記載の方法。
【請求項１１】
さらに、ネットワークのデジタル音声通信システムによる前記呼者および前記呼出されるパーティの登録を含んでいる請求項１記載の方法。
【請求項１２】
前記呼者および前記呼出されるパーティの登録は、
ユーザ名と、
ユーザのＩＰアドレスと、
ユーザの公共キー証明書と、
ユーザのデジタル署名との受信を含んでいる請求項１１記載の方法。
【請求項１３】
さらに、前記ユーザ名が前記ユーザ公共キー証明書中のユーザ名と同一であることを確認し、
前記ユーザのデジタル署名を確認し、
前記ユーザの公共キー証明書が正当であることを確認するステップを含んでいる請求項１２記載の方法。
【請求項１４】
さらに、前記ユーザ名を前記ユーザのＩＰアドレスへ結合し、
前記確認されたユーザの公共キー証明書を前記結合されたユーザ名およびユーザのＩＰアドレスへ結合するステップを含んでいる請求項１３記載の方法。
【請求項１５】
呼者の登録に成功した場合に、ＯＫメッセージを返送するステップを含んでいる請求項１４記載の方法。
【請求項１６】
前記登録は前記デジタル呼設定リクエストが受信される前に行われる請求項１１記載の方法。
【請求項１７】
前記登録は、
前記呼者証明書と共に別々のデジタル音声呼設定リクエストを前記呼出されるパーティへ送信し、
前記呼出されたパーティから別々の受取りメッセージを受信し、
前記別々の呼出されたパーティの受取りメッセージを確認し、
前記別々の呼出されたパーティの受取りメッセージおよび別々の呼出されるパーティの証明書を前記呼者へ送信するステップを含んでいる請求項１６記載の方法。
【請求項１８】
前記登録は前記デジタル呼設定リクエストが受信された後に行われる請求項１１記載の方法。
【請求項１９】
実行されるとき、プロセッサにより実行されるように構成されている命令を記憶する媒体において、プロセッサを構成するための命令は、
呼者証明書に関連しているデジタル音声呼設定リクエストを呼者から受信し、
前記デジタル音声呼設定リクエスト中で識別される呼出されるパーティの位置を決定し、
前記呼者証明書と共に前記デジタル音声呼設定リクエストを前記呼出されるパーティへ送信し、
呼出されたパーティの受取りメッセージを受信し、
前記呼出されたパーティの受取りメッセージを確認し、
前記呼出されたパーティの受取りメッセージと呼出されたパーティの証明書とを前記呼者へ送信する動作を行わせ、
前記呼出されるパーティの位置の決定は、
前記位置に対する位置サーバへリクエストを送信し、前記位置サーバから位置応答を受信するステップを含み、
前記リクエストは呼出されるパーティの識別子と署名とを含んでおり、
前記位置サーバから受信される位置応答は前記呼出されるパーティの前記位置と、呼出されるパーティの証明書と、前記呼者の証明書とを含んでいる媒体。
【請求項２０】
デジタル音声呼設定リクエストの前記受信はプロセッサを構成し、そのプロセッサは、
前記呼者証明書に関連するインターネットプロトコル（ＶＯＩＰ）呼設定リクエストにより前記呼者から音声を受信する請求項１９記載の媒体。
【請求項２１】
デジタル音声呼設定リクエストの前記受信はプロセッサを構成し、そのプロセッサは、
前記デジタル音声呼設定リクエストを呼者インターネットプロトコル（ＩＰ）アドレスから受信し、前記デジタル音声呼設定リクエストはそれに関連する前記呼者証明書を有し、呼出されるパーティのＩＰアドレスに導かれる請求項１９記載の媒体。
【請求項２２】
デジタル音声呼設定リクエストの前記受信はさらにプロセッサを構成し、そのプロセッサは、
呼者署名を有する前記デジタル音声呼設定リクエストを受信する請求項１９記載の媒体。
【請求項２３】
前記位置応答の前記受信はさらに、前記位置サーバの署名を受信するようにプロセッサを構成する請求項１９記載の媒体。
【請求項２４】
前記デジタル音声呼設定リクエストの前記送信はプロセッサを構成し、そのプロセッサは、
署名と共に前記デジタル音声呼設定リクエストを送信する請求項１９記載の媒体。
【請求項２５】
前記呼出されたパーティの受取りメッセージの前記受信動作は、前記呼出されたパーティの受信メッセージと共に呼出されたパーティの署名を受信するようにプロセッサを構成する請求項１９記載の媒体。
【請求項２６】
前記呼出されたパーティの受取りメッセージの前記確認は、
前記受取りメッセージに付けられた前記呼出されたパーティの証明書と、
先に受信された呼出されたパーティの証明書の一方を使用して、前記呼出されたパーティの受取りメッセージで受信される呼出されたパーティの署名を確認するようにプロセッサを構成する請求項１９記載の媒体。
【請求項２７】
前記先に受信された呼出されたパーティの証明書は前記呼出されたパーティの前記位置と共に受信された請求項２６記載の媒体。
【請求項２８】
プロセッサはさらに、呼出されたパーティの署名を前記呼者へ送信するように構成されている請求項１９記載の媒体。
【請求項２９】
プロセッサはさらに、前記呼者および前記呼出されるパーティを前記デジタル音声通信システムに登録するように構成されている請求項１９記載の媒体。
【請求項３０】
前記呼者および前記呼出されるパーティの前記登録動作はプロセッサを構成し、そのプロセッサは、
ユーザ名を受信し、
ユーザのＩＰアドレスを受信し、
ユーザの公共キー証明書を受信し、
ユーザのデジタル署名を受信する請求項２９記載の媒体。
【請求項３１】
前記プロセッサはさらに、
前記ユーザ名が前記ユーザ公共キー証明書中のユーザ名と同一であることを確認し、
前記ユーザのデジタル署名を確認し、
前記ユーザの公共キー証明書が正当であることを確認するように構成されている請求項３０記載の媒体。
【請求項３２】
前記プロセッサはさらに、
前記受信されたユーザ名を前記ユーザのＩＰアドレスと結合し、
前記確認されたユーザの公共キー証明書を前記結合されたユーザ名およびユーザのＩＰアドレスと結合するように構成されている請求項３１記載の媒体。
【請求項３３】
前記プロセッサはさらに、
呼者登録に成功した場合には、ＯＫメッセージを返送するように構成されている請求項３２記載の媒体。
【請求項３４】
インターネットプロトコル（ＶＯＩＰ）通信システムにより音声でデジタル証明書登録および自動証明書検索を行うシステムにおいて、
ＶＯＩＰゲートウェイを具備し、前記ＶＯＩＰゲートウェイは、
呼者証明書に関連するデジタル音声呼設定リクエストを呼者から受信し、
前記デジタル音声呼設定リクエスト中で識別された呼出されたパーティの位置を決定し、
前記呼者証明書と共に前記デジタル音声呼設定リクエストを前記呼出されるパーティへ送信し、
呼出されたパーティの受取りメッセージを受信し、
前記呼出されたパーティの受取りメッセージを確認し、
前記呼出されたパーティの受取りメッセージと呼出されたパーティの証明書とを前記呼者へ送信するステップを含んでおり、
前記呼出されるパーティの位置の決定は、
前記位置に対する位置サーバへリクエストを送信し、前記位置サーバから位置応答を受信することによって行われ、
前記位置サーバへ送信されるリクエストは呼出されるパーティの識別子と署名とを含んでおり、
前記位置サーバから受信される位置応答は前記呼出されるパーティの前記位置と、呼出されるパーティの証明書と、前記呼者の証明書とを含んでいるシステム。
【請求項３５】
前記ＶＯＩＰゲートウェイは、
前記ＶＯＩＰ通信システムと通信するセッション初期プロトコル（ＳＩＰ）代理サーバを具備し、このＳＩＰ代理サーバは前記呼者と前記呼出されるパーティ間の通信を可能にするように構成されている請求項３４記載のシステム。
【請求項３６】
前記ＶＯＩＰゲートウェイはさらに、
前記ＳＩＰ代理サーバと通信する位置サーバと、
前記ＳＩＰ代理サーバと通信する少なくとも１つの別の代理サーバと、
前記ＳＩＰ代理サーバと通信する証明書観察装置と、
前記ＳＩＰ代理サーバと通信するオンライン証明書状態プロトコル（ＯＣＳＰ）応答装置とのうちの少なくとも１つを具備している請求項３５記載のシステム。
【請求項３７】
前記ＶＯＩＰゲートウェイはさらに、
前記ＳＩＰ代理サーバと通信する位置サーバと、
前記位置サーバと通信し、前記呼出されるパーティの現在位置と、呼出されるパーティの証明書と、前記呼者証明書とを含んでいる位置データベースと、
前記位置サーバおよび前記ＳＩＰ代理サーバと通信する証明機関とを具備している請求項３９記載のシステム。
【請求項３８】
ネットワーク上で通信を設定する装置において、
プロセッサと、
前記プロセッサに結合され、以下のステップを行うように前記プロセッサにより実行される呼設定命令を記憶するメモリとを具備し、前記命令の実行するステップは、
呼者証明書に関連するデジタル音声呼設定リクエストを呼者から受信し、
前記デジタル音声呼設定リクエスト中で識別される呼出されるパーティの位置を決定し、
前記呼者証明書と共に前記デジタル音声呼設定リクエストを前記呼出されるパーティへ送信し、
呼出されたパーティの受取りメッセージを受信し、
前記呼出されたパーティの受取りメッセージを確認し、
前記呼出されたパーティの受取りメッセージと前記呼出されたパーティの証明書とを前記呼者へ送信するステップを含んでおり、
前記呼出されるパーティの位置の決定は、
前記位置に対する位置サーバへリクエストを送信し、前記位置サーバから位置応答を受信するステップを含み、
前記位置サーバへ送信されるリクエストは呼出されるパーティの識別子と呼者の署名とを含んでおり、
前記位置サーバから受信される位置応答は前記呼出されるパーティの前記位置と、呼出されるパーティの証明書と、前記呼者の証明書とを含んでいる装置。
【請求項３９】
インターネットプロトコル（ＶＯＩＰ）通信システムにより音声でデジタル証明書登録および自動証明書検索を行うシステムにおいて、
ＶＯＩＰゲートウェイを具備し、そのＶＯＩＰゲートウェイは、
呼者証明書に関連しているデジタル音声呼設定リクエストを呼者から受信する手段と、
前記デジタル音声呼設定リクエスト中で識別される呼出されるパーティの位置を決定する手段と、
前記呼者証明書と共に前記デジタル音声呼設定リクエストを前記呼出されたパーティへ送信する手段と、
呼出されたパーティの受取りメッセージを受信する手段と、
前記呼出されたパーティの受取りメッセージを確認する手段と、
前記呼出されたパーティの受取りメッセージと前記呼出されたパーティの証明書を前記呼者へ送信する手段とを具備しており、
前記決定する手段は、
前記位置に対する位置サーバへリクエストを送信する手段と、前記位置サーバから位置応答を受信する手段とを具備し、
前記位置サーバへ送信するリクエストは呼出されるパーティの識別子と署名とを含んでおり、
前記位置サーバからの位置応答は前記呼出されるパーティの前記位置と、呼出されるパーティの証明書と、前記呼者の証明書とを含んでいるシステム。
【請求項４０】
ネットワーク上で通信を設定する装置において、
処理手段と、
前記処理手段に結合され、以下のステップを前記処理手段により実行させるための呼設定命令を記憶する記憶手段とを具備し、前記ステップは、
呼者証明書に関連するデジタル音声呼設定リクエストを呼者から受信し、
前記デジタル音声呼設定リクエスト中で識別される呼出されるパーティの位置を決定し、
前記呼者証明書と共に前記デジタル音声呼設定リクエストを前記呼出されたパーティへ送信し、
呼出されたパーティの受取りメッセージを受信し、
前記呼出されたパーティの受取りメッセージを確認し、
前記呼出されたパーティの受取りメッセージと前記呼出されたパーティの証明書とを前記呼者へ送信するステップを含んでおり、
前記呼出されるパーティの位置の決定は、
前記位置に対する位置サーバへリクエストを送信し、前記位置サーバから位置応答を受信するステップを含み、
前記リクエストは位置サーバへ送信される呼出されるパーティの識別子と署名とを含んでおり、
前記位置サーバから受信される位置応答は前記呼出されるパーティの前記位置と、呼出されるパーティの証明書と、前記呼者の証明書とを含んでいる装置。